(57)【要約】  本発明は、それぞれが機能制御部（３）を有する少なくとも２台の製造機械（２）と、少なくとも一方向のデータ送信をするために機能制御部（３）に連結されている少なくとも１台の中央コンピュータ（５）と、製造設備（１）内で無線ネットワークを提供するための少なくとも１つの無線局（９）であって、少なくとも一方向のデータ送信をするために少なくとも１台の中央コンピュータ（５）に連結されている無線局（９）と、無線ネットワークからデータを受信するための受信部（１０）を有し受信データをグラフィック表示する少なくとも１つの携帯表示装置（６）とを有する製造設備（１）に関する。携帯表示装置（６）および／または製造機械（２）は携帯表示装置（６）を所定の製造機械（２）に割当て可能な割当て部（１１）を有する。
2020522074.tif 000002
【特許請求の範囲】
【請求項１】
製造設備（１）を稼働させるための方法であって、前記製造設備（１）は、
それぞれが機能制御部（３）を有する少なくとも２台の製造機械（２）と、
データ送信をするために前記機能制御部（３）に連結されている少なくとも１台の中央コンピュータ（５）と、
前記製造設備（１）内で無線ネットワークを提供するための少なくとも１つの無線局（９）であって、データ送信をするために前記少なくとも１台の中央コンピュータ（５）に連結されている無線局（９）と、
前記無線ネットワークからデータを受信してグラフィック表示するための受信部（１０）および表示部（７）を有する少なくとも１つの携帯表示装置（６）と、を有し、
前記製造機械（２）の前記機能制御部（３）により前記製造機械（２）に関する状態情報が前記中央コンピュータ（５）に送信され、
前記製造機械（２）のうちの１台への携帯表示装置（６）の近接が検出されることで、当該携帯表示装置（６）が少なくとも一時的に前記製造機械（２）のうちの１台に割り当てられ、
前記製造機械（２）に関する前記状態情報に基づき、少なくとも携帯表示装置（６）が割り当てられている製造機械（２）についての前記状態情報のグラフィック表現を前記中央コンピュータ（５）が算出し、
前記状態情報の前記グラフィック表現のデータが、前記製造機械（２）に割り当てられている前記携帯表示装置（６）に前記無線ネットワークを介して送信され、製造機械の操作者が前記グラフィック表現を読み取れるように当該携帯表示装置（６）の前記表示部（７）に表示される、
ことを特徴とする方法。
【請求項２】
前記製造機械（２）のうちの１台への前記携帯表示装置（６）の前記近接は近接センサまたは射程が限定されたデータ送信手段により検出され、前記製造機械（２）は適当な近接検出手段（１２）を有し、前記携帯表示装置（６）は適当な近接検出手段（１３）を有することを特徴とする、請求項１に記載の方法。
【請求項３】
前記製造機械（２）の前記近接検出手段（１２）は近距離無線通信（ＮＦＣ）の送信機で構成されており、前記携帯表示装置（６）で受信された信号の強度を求めることで前記携帯表示装置（６）と前記近接検出手段（１２）との距離が求められることを特徴とする、請求項２に記載の方法。
【請求項４】
前記製造機械（２）の前記近接検出手段（１２）はブルートゥース（登録商標）低エネルギー（ＢＬＥ）といったブルートゥースのビーコンで構成されており、前記携帯表示装置（６）で受信された信号の強度を求めることで前記携帯表示装置（６）と前記近接検出手段（１２）との距離が求められることを特徴とする、請求項２に記載の方法。
【請求項５】
前記製造機械（２）のそれぞれには近距離無線通信（ＮＦＣ）の送信機またはブルートゥースのビーコンで構成された近接検出手段（１２）が配置されており、前記携帯表示装置（６）への最も強い信号が検出された製造機械（２）に前記携帯表示装置（６）が割り当てられることを特徴とする、請求項３または４に記載の方法。
【請求項６】
前記製造機械（２）に割り当てられた入力装置（４）を介して前記操作者により前記機能制御部（３）に操作コマンドが入力され、当該操作コマンドが入力された結果がリアルタイムで前記携帯表示装置（６）に表示されることを特徴とする、請求項１〜５のいずれか一項に記載の方法。
【請求項７】
前記製造機械（２）のうちの１台への携帯表示装置（６）の割当てに際し、当該携帯表示装置（６）に関する情報として特に前記表示部（７）の大きさおよび解像度ならびに非常停止ボタンおよび／または動作許可ボタンといった操作部の有無が照会されて当該情報が前記中央コンピュータ（５）に送信され、前記中央コンピュータ（５）が当該情報に基づき当該携帯表示装置（６）用に調整されたグラフィック表現を出力することを特徴とする、請求項１〜６のいずれか一項に記載の方法。
【請求項８】
前記操作者が前記携帯表示装置（６）にログインするか認証されており、前記製造機械（２）のうちの１台への携帯表示装置（６）の割当てに際し、前記操作者に関する情報が照会されて前記中央コンピュータ（５）に送信され、前記中央コンピュータ（５）が前記操作者の認証結果に基づき当該携帯表示装置（６）用に調整されたグラフィック表現を出力することを特徴とする、請求項７に記載の方法。
【請求項９】
前記携帯表示装置（６）に所定の操作部がある場合には、前記製造機械（２）の前記機能制御部（３）への制御情報の送信にも当該操作部が使用されることを特徴とする、請求項７または８に記載の方法。
【請求項１０】
前記射程が限定されたデータ送信手段により前記携帯表示装置（６）から前記製造機械（２）に前記制御情報が直接送信されることを特徴とする、請求項９に記載の方法。
【請求項１１】
前記少なくとも１台の中央コンピュータ（５）にて、前記状態情報を表示するために現時点で携帯表示装置（６）が割り当てられている製造機械（２）のみについての前記状態情報の前記グラフィック表現が算出されることを特徴とする、請求項１〜１０のいずれか一項に記載の方法。
【請求項１２】
前記携帯表示装置（６）の前記表示部（７）はサブメニューを開いたり前記グラフィック表現を変更したりすることができる複数の入力ボタンが表示されるタッチパネルディスプレイであり、当該入力ボタンのうちの１つが操作されると、前記無線ネットワークを介して前記携帯表示装置（６）から前記中央コンピュータ（５）にコマンドが送信され前記製造機械（２）に関する前記状態情報の前記グラフィック表現が調整されることを特徴とする、請求項１〜１１のいずれか一項に記載の方法。
【請求項１３】
前記中央コンピュータ（５）の処理能力は前記製造機械（２）の前記状態情報の前記グラフィック表現を算出するために優先して使用され、処理能力が余った場合には前記中央コンピュータ（５）は他の計算処理にも使用されることを特徴とする、請求項１〜１２のいずれか一項に記載の方法。
【請求項１４】
前記製造機械（２）に関する前記状態情報が一定時間ごとに前記中央コンピュータ（５）に送信されることを特徴とする、請求項１〜１３のいずれか一項に記載の方法。
【請求項１５】
製造設備（１）であって、
それぞれが機能制御部（３）を有する少なくとも２台の製造機械（２）と、
少なくとも一方向のデータ送信をするために前記機能制御部（３）に連結されている少なくとも１台の中央コンピュータ（５）と、
前記製造設備（１）内で無線ネットワークを提供するための少なくとも１つの無線局（９）であって、少なくとも一方向のデータ送信をするために前記少なくとも１台の中央コンピュータ（５）に連結されている無線局（９）と、
前記無線ネットワークからデータを受信するための受信部（１０）を有し受信データをグラフィック表示する少なくとも１つの携帯表示装置（６）と、を有し、
前記携帯表示装置（６）および／または前記製造機械（２）は当該携帯表示装置（６）を所定の製造機械（２）に割当て可能な割当て部（１１）を有する、
ことを特徴とする製造設備（１）。
【発明の詳細な説明】
【技術分野】
【０００１】
本発明は、少なくとも２台の製造機械がある製造設備を稼働させるための方法およびその製造設備の構成に関する。
【背景技術】
【０００２】
複数の製造機械が配置された製造設備が従来技術で知られている。各製造機械は、その製造機械を制御するための機能制御部を有し、入力端末と表示装置も有する。各製造機械に配置されたコンピュータによりその製造機械の機能状態を表す視覚的な表示が算出され、その製造機械の表示装置に表示される。
【発明の概要】
【０００３】
従来技術で知られた製造設備には、多数のコンピュータや表示装置があるために製造設備内の製造機械に多くのメンテナンスが必要であり、障害が発生し易くかつ費用がかかるという不都合がある。加えて、コンピュータは製造機械内で熱を発生させるので費用を掛けて冷却しなければならず、また工業用に設計されたコンピュータを使用しなければならない。
【０００４】
本発明の課題は、従来技術の不都合を解消し、かつ可能な限り単純な構成の製造設備およびそれを稼働させるための方法を提供することである。
【０００５】
この課題は特許請求の範囲に記載の製造設備およびそれを稼働させるための方法により解決される。
【０００６】
本発明によれば、製造設備を稼働させるための方法が提供される。その製造設備は、それぞれが機能制御部を有する少なくとも２台の製造機械と、データ送信をするために機能制御部に連結されている少なくとも１台の中央コンピュータと、製造設備内で無線ネットワークを提供するための少なくとも１つの無線局であって、データ送信をするために少なくとも１台の中央コンピュータに連結されている無線局と、無線ネットワークからデータを受信してグラフィック表示するための受信部および表示部を有する少なくとも１つの携帯表示装置とを有する。その方法は次の工程を含む。
・製造機械の機能制御部により製造機械に関する状態情報が中央コンピュータに送信され、
・製造機械のうちの１台への携帯表示装置の近接が検出されることで、その携帯表示装置が少なくとも一時的に製造機械のうちの１台に割り当てられ、
・製造機械に関する状態情報に基づき、少なくとも携帯表示装置が割り当てられている製造機械についての状態情報のグラフィック表現を中央コンピュータが算出し、
・状態情報のグラフィック表現のデータが、製造機械に割り当てられている携帯表示装置に無線ネットワークを介して送信され、製造機械の操作者がグラフィック表現を読み取れるようにその携帯表示装置の表示部に表示される。
【０００７】
本発明の方法には、ある製造機械の状態情報を可視化するための演算がその製造機械で直接行われず、その場所で製造機械から分かれた中央コンピュータにより複数の製造機械についての可視化のための計算処理が行われるという利点がある。このため、各製造機械が専用のコンピュータを必要としないので、製造機械の構成を単純化することができ、それにより、製造機械に障害が発生し難くなり、製造コストが削減される。加えて、各製造機械が専用の表示装置を必要とせず、複数の製造機械を同一の表示装置に連結させることができ、それにより必要な表示装置の台数も減らすことができる。したがって、全体として、製造設備内のリソースの費用あるいは製造設備を稼働させるときのエネルギー消費量を可能な限り抑えることができる。加えて、本発明による製造設備の稼働時には、中央コンピュータを空調設備の整ったサーバルームに収容して冷却するとともに環境による影響から保護することができる。加えて、中央コンピュータは従来の製造機械の場合のような高価な工業用のコンピュータである必要はなく、市販のＰＣを使用することができる。
【０００８】
さらに、製造機械のうちの１台への携帯表示装置の近接は近接センサまたは射程が限定されたデータ送信手段により検出され、製造機械は適当な近接検出手段を有し、携帯表示装置は適当な近接検出手段を有することが好ましい。この場合、この手法により携帯表示装置を製造機械に確実に割り当てることができるので、割り当てられた製造機械の有効範囲内に携帯表示装置があるときにその製造機械に関する視覚表現のデータだけが提供されるという利点がある。このことは機械の安全性を損なわないために特に重要である。
【０００９】
さらに、製造機械の近接検出手段を近距離無線通信（ＮＦＣ）の送信機で構成し、携帯表示装置で受信された信号の強度を求めることで携帯表示装置と近接検出手段との距離を求めてもよい。この場合、そうしたＮＦＣの送信機の射程は限定されているので、携帯表示装置が製造機械の近くにあるときだけその製造機械に連結されることが保証されるという利点がある。
【００１０】
あるいは、製造機械の近接検出手段をブルートゥース（登録商標）低エネルギー（ＢＬＥ）といったブルートゥースのビーコンで構成し、携帯表示装置で受信された信号の強度を求めることで携帯表示装置と近接検出手段との距離を求めてもよい。この場合、そうしたブルートゥースのビーコンは安価であり、加えて製造機械と携帯表示装置の間の距離を正確に求められるという利点がある。
【００１１】
製造機械のそれぞれには近距離無線通信（ＮＦＣ）の送信機またはブルートゥースのビーコンで構成された近接検出手段を配置し、携帯表示装置への最も強い信号が検出された製造機械に携帯表示装置を割り当ててもよく、こうした実施形態も有利である。この手法により、携帯表示装置をより確実に正しい製造機械に割り当てることができる。
【００１２】
別の実施例では、例えば無線ＬＡＮである無線局を使用して携帯表示装置の位置を求めてもよい。異なる無線局からの信号強度を評価することで、製造設備内での携帯表示装置の絶対位置を同様に求めることができる。
【００１３】
発展形態によれば、製造機械に割り当てられた入力装置を介して操作者が機能制御部に操作コマンドを入力し、その操作コマンドが入力された結果をリアルタイムで携帯表示装置に表示してもよい。この手法により、製造機械を入力装置で操作し、入力された操作コマンドを携帯表示装置で可視化することができる。携帯表示装置で可視化させることで、入力装置は表示部を有する必要がなく、むしろ単純な表示器で十分になる。
【００１４】
さらに、製造機械のうちの１台への携帯表示装置の割当てに際し、その携帯表示装置に関する情報として特に表示部の大きさおよび解像度ならびに非常停止ボタンおよび／または動作許可ボタンといった操作部の有無を照会してその情報を中央コンピュータに送信し、中央コンピュータがその情報に基づきその携帯表示装置用に調整されたグラフィック表現を出力することが好ましい。この場合、この手法により様々な携帯表示装置の使用が可能になり、可視化のための情報を携帯表示装置の種類に合わせて正しく調整できるという利点がある。
【００１５】
加えて、操作者が携帯表示装置にログインするか認証されており、製造機械のうちの１台への携帯表示装置の割当てに際し、操作者に関する情報が照会されて中央コンピュータに送信され、中央コンピュータが操作者の認証結果に基づきその携帯表示装置用に調整されたグラフィック表現を出力してもよい。この場合、この手法により様々な権限のレベルを様々な操作者に与えられるという利点がある。このため、安全性に関する操作コマンドあるいは設定の権限を操作者のうちで限られた範囲の人だけに留保した状態にすることができる。この手法により、加えて、あるグループの人は製造機械についての一般的な状態データを見ることができるだけで、例えば詳細設定は呼び出せないように実現することができる。
【００１６】
さらに、携帯表示装置に所定の操作部がある場合には、製造機械の機能制御部への制御情報の送信にもその操作部を使用してもよい。この場合、携帯表示装置を、機械のデータの表示用だけでなく、同時に、製造機械にコマンドを入力するための入力端末としても使用できるという利点がある。特に、製造機械の初期設定を変更するために携帯表示装置を使用することもできる。さらに、操作部を有するそうした携帯表示装置を製造機械に動作コマンドを入力するためにも使用することができる。
【００１７】
特定の実施形態によれば、射程が限定されたデータ送信手段により携帯表示装置から製造機械に制御情報を直接送信してもよい。この手法により、可能な限り短い経路かつリアルタイムで携帯表示装置から製造機械にデータを送信することができる。加えて、この手法により、操作者が製造機械の有効範囲内にいるときだけその製造機械を操作できることが保証される。操作者がその有効範囲の外にいたとすると、データの送信は、射程が限定されたデータ送信手段では受信されないのでできないだろう。それにより、操作者が自分の近くにない製造機械を意図せずに操作しないことが保証されるので、製造設備の安全性をさらに高めることができる。
【００１８】
有利な発展形態によれば、少なくとも１台の中央コンピュータにて、状態情報を表示するために現時点で携帯表示装置が割り当てられている製造機械のみについての状態情報のグラフィック表現を算出してもよい。この場合、この手法により処理能力を削減できることに加えて、製造設備を稼働させるときのエネルギーも削減できるという利点がある。このため、例えば、１００台の製造機械がある製造設備で１０台の携帯表示装置だけを使用し、それに応じて、ある携帯表示装置に現在連結されている１０台の製造機械だけについて携帯表示装置への表示用に製造機械のデータの視覚表現を算出すればよいようにすることも可能である。
【００１９】
携帯表示装置の表示部はサブメニューを開いたりグラフィック表現を変更したりすることができる複数の入力ボタンが表示されるタッチパネルディスプレイであり、その入力ボタンのうちの１つが操作されると、無線ネットワークを介して携帯表示装置から中央コンピュータにコマンドが送信され製造機械に関する状態情報のグラフィック表現が調整されてもよく、こうすると特に有利である。この手法により、中央コンピュータがそのグラフィック表現で予め設定したデータを携帯表示装置に表示できるだけでなく、操作者が様々な表現同士を切り換えたり関連するデータを表示させたりすることもできる。
【００２０】
さらに、中央コンピュータの処理能力を製造機械の状態情報のグラフィック表現を算出するために優先して使用し、処理能力が余った場合には中央コンピュータを他の計算処理にも使用してもよい。この手法には、製造機械の状態情報を可視化するという主要タスクを中央コンピュータが実行することが保証されるという利点がある。その傍らで、この手法により、中央コンピュータを別の計算処理にも使用して中央コンピュータの稼働率を最適化することができる。好ましい実施形態では、この場合の中央コンピュータは、想定される最大数の携帯表示装置における可視化のための計算処理をできるように設計される。
【００２１】
加えて、製造機械に関する状態情報を一定時間ごとに中央コンピュータに送信してもよい。この場合、この手法により製造機械の状態情報の視覚表現を規定の間隔で照会したり表示したりできるという利点がある。
【００２２】
本発明によれば、製造設備は、それぞれが機能制御部を有する少なくとも２台の製造機械と、少なくとも一方向のデータ送信をするために機能制御部に連結されている少なくとも１台の中央コンピュータと、製造設備内で無線ネットワークを提供するための少なくとも１つの無線局であって、少なくとも一方向のデータ送信をするために少なくとも１台の中央コンピュータに連結されている無線局と、無線ネットワークからデータを受信するための受信部を有し受信データをグラフィック表示する少なくとも１つの携帯表示装置とを有する。携帯表示装置および／または製造機械はその携帯表示装置を所定の製造機械に割当て可能な割当て部を有する。
【００２３】
本明細書では、単体のコンピュータに限らずネットワークで連結された複数のコンピュータも中央コンピュータとみなす。簡単のため、本明細書では中央コンピュータという用語だけを使用するが、その用語は、複数の製造機械からのデータのグラフィック表現を求めるための計算処理にまとめて使用されるすべての単体のコンピュータまたは連結された複数のコンピュータを意味する。
【００２４】
本発明をよりよく理解できるように、以下の図面を参照して上記の内容をより詳細に説明する。
【００２５】
各図には、大きく簡略化して模式的に表したものを示す。
【図面の簡単な説明】
【００２６】
【図１】製造設備の想定される構成の実施例を示す模式図である。
【発明を実施するための形態】
【００２７】
まず初めに、以下に記載する様々な実施形態では、同一の部分には同一の参照符号または同一の部材名が付されており、本明細書全体に含まれる開示は同一の参照符号または同一の部材名が付された同一の部分に準用できることに留意されたい。また、本明細書で選択された例えば上や下、横といった位置の記載はそこで説明され表示されている図に関するものであり、場所が変わればその新たな場所に準用することができる。
【００２８】
図１は、複数の製造機械２がある製造設備１の模式的な構成を示す。製造設備１は、例えば製造機械２が設置されている機械工場でもよい。簡単のため４台の製造機械２だけを図示しているが、製造設備１内の製造機械はより多数でもよい。例えば、１００台以上の製造機械２が製造設備１内に配置されていることが考えられる。
【００２９】
製造機械２は従来技術で知られた様々な形態の機械でもよい。例えば、製造機械２は射出成形機であることが考えられる。各製造機械２は機能制御部３を有し、機能制御部３は、例えばその製造機械２内の作動装置を直接動作させるために使用することができる。
【００３０】
また、機能制御部３は、製造機械２の操作者が機能制御部３に操作コマンドを入力するための入力装置４に連結されていてもよい。最も単純な形態では、入力装置４は、製造機械２を操作するためのファンクションキーのみを有してもよい。加えて、入力装置４は、例えば非常停止ボタンおよび／または動作許可ボタンを有してもよい。また、入力装置４は、製造機械２あるいは入力装置４の様々な状態を表示可能な少なくとも１つの簡単な表示要素を有してもよい。例えば、入力装置のファンクションキーの領域に、各ファンクションキーが押下されているか否かが分かるような表示器を直接形成することが考えられる。また、製造機械２に関する情報を表示可能な簡単な表示部を入力装置４に設けることも考えられる。
【００３１】
さらに、各製造機械２はデータ送信をするために中央コンピュータ５に連結されている。各製造機械２と中央コンピュータ５との連結は、例えば有線のネットワーク８を介して実現することができる。あるいは、各製造機械２は、データ送信をするために無線のネットワーク８を介して中央コンピュータ５に連結されていることも考えられる。加えて、各製造機械２は、ネットワーク８を介して中央コンピュータ５にだけでなく互いにデータ送信をするために連結されていてもよい。このことは、無線でも有線でも同様に実現することができる。
【００３２】
図１から分かるように、ネットワークに連結されている複数台のコンピュータで中央コンピュータ５を構成してもよい。あるいは、中央コンピュータ５を１台のコンピュータで構成することも考えられる。中央コンピュータ５を例えば空調設備の整った専用の部屋に設置して過熱から守ってもよい。
【００３３】
第１の実施例では、中央コンピュータ５を製造設備１内に、したがって機械工場内に配置してもよい。
【００３４】
別の実施例では、中央コンピュータ５を例えばクラウド上で実現し、インターネット上で連結された様々なコンピュータで計算処理を分散して行うことも考えられる。
【００３５】
これらのすべての実施例において、本明細書では、実際に使用されるコンピュータの台数に関わらず、常に中央コンピュータという。
【００３６】
１台または複数台の中央コンピュータ５は例えば従来のＰＣで構成することができる。
【００３７】
さらに、製造機械２の現在の状態情報を可視化するための携帯表示装置６が提供される。このために、携帯表示装置６は状態情報のグラフィック表示用の表示部７を有する。この場合、状態情報はネットワーク８を介して製造機械２の機能制御部３から中央コンピュータ５に送信される。中央コンピュータ５では、状態情報が加工され、内蔵の算出プログラムに従って製造機械２の現在の状態のグラフィック表現が算出される。続いてこのグラフィック表現は、中央コンピュータ５に連結されている無線局９を介して携帯表示装置６の受信部１０に送信される。
【００３８】
例えば、製造設備１内に配置されている無線ＬＡＮのルータで無線局９を構成してもよい。この場合には特に、製造設備１内において中央コンピュータ５と携帯表示装置６の間で断絶のないデータ送信を実現できるように、製造設備１内に複数の無線局９を構成してもよい。
【００３９】
さらに、携帯表示装置６および／または製造機械２は、携帯表示装置６をある製造機械２に割当て可能な、あるいは製造機械２と携帯表示装置６との間の距離を決定可能な割当て部１１を有する。割当て部１１は様々な方式で実現することができる。
【００４０】
例えば、製造機械２に近接検出手段１２を配置し、携帯表示装置６に近接検出手段１３を配置することが考えられる。
【００４１】
２つの近接検出手段１２，１３は例えばＮＦＣチップで構成してもよい。携帯表示装置６がある製造機械２に近接したときに、近接検出手段１２，１３により携帯表示装置６をその製造機械２に一時的に割り当てることができる。この場合、近接検出手段１２，１３同士が互いに接続している間だけ携帯表示装置６の製造機械２への割当てを維持することが考えられる。この手法により、ある製造機械２の近くかまたは有効範囲内にその操作者がいる場合に必ずその製造機械２のデータのみを読み取れるという安全性の機能も実現することができる。
【００４２】
別の実施例では、ＢＬＥビーコンで構成された近接検出手段１２が少なくとも一部の製造機械２に配置されていることも考えられる。携帯表示装置６の近接検出手段１３は、したがってブルートゥースの送信機で実現することができる。そうしたブルートゥース接続は数ｍの範囲内で可能である。
【００４３】
さらに、携帯表示装置６がある製造機械２に既に接続していても、携帯表示装置６がその製造機械２の周囲の規定範囲内にあるときだけその製造機械２に割り当てられるように製造設備１を構成することも考えられる。これは安全上の理由から必要になり得る。
【００４４】
上記のＮＦＣおよびＢＬＥの技術を使用すれば、携帯表示装置６と製造機械２との距離を求められる。携帯表示装置６の近接検出手段１３が複数の製造機械２の近接検出手段１２の射程内にあれば、三角測量により携帯表示装置６の位置も求められる。
【００４５】
さらに、ビーコンを使用する場合には、ビーコンを各製造機械２に配置するのではなく、携帯表示装置６の位置を完全に求められるような間隔で分散させることも考えられる。
【００４６】
さらに、例えば無線ＬＡＮである無線局９を使用して携帯表示装置６の位置を求めてもよい。異なる無線局９からの信号強度を評価することで、製造設備１内での携帯表示装置６の絶対位置を同様に求めることができる。
【００４７】
そうした実施例では、携帯表示装置６の受信部１０が割当て部１１あるいは近接検出手段１３として同時に使用される。
【００４８】
さらに別の実施例では、携帯表示装置６内に設けられた加速度センサにより携帯表示装置６の絶対位置を求めることも考えられる。
【００４９】
さらに別の変形例では、上記の技術の組合せにより各携帯表示装置６の位置を求めることも考えられる。例えば、ＮＦＣ、ＢＬＥまたは無線ＬＡＮといった近接センサを使用して携帯表示装置６の位置を参照し、その後、携帯表示装置６内に設けられた加速度センサにより携帯表示装置６の位置を追跡してもよい。その後、一定時間ごとあるいは可能なときに、携帯表示装置６の位置を再度参照してもよい。この手法により、携帯表示装置６内の加速度センサのドリフトに起因して生じる位置ずれを補償することができる。
【００５０】
以下では、製造設備１を稼働させるための方法をより詳細に説明する。
【００５１】
機能制御部３により製造機械２の状態データが求められるか、あるいは製造機械２の作動装置が制御される。また、定期的にまたは動作に基づく時間間隔で、製造機械２の状態データがネットワーク８を介して中央コンピュータ５に送信される。
【００５２】
この場合、機能制御部３がデータをプッシュ型のデータパケットの形態で能動的に中央コンピュータ５に送付することが考えられる。別の変形例では、中央コンピュータ５にプル型のデータパケットの形態で一定時間ごとに機能制御部３からデータが与えられることも考えられる。さらに別のモデルではデータをポーリング方式により送信することも考えられる。
【００５３】
中央コンピュータ５では、送信された製造機械２の状態データを使用して、中央コンピュータ５で直接その状態データの視覚表現を算出することができる。この場合、現時点で携帯表示装置６が割り当てられている製造機械２のみについて状態データの視覚表現を算出してもよい。
【００５４】
あるいは、すべての製造機械２について中央コンピュータ５で視覚表現を算出してもよい。
【００５５】
算出された視覚表現は、続いて無線局９により携帯表示装置６に送信される。その際、携帯表示装置６が現時点で割り当てられている製造機械２についての視覚表現がその携帯表示装置６に送信される。
【００５６】
第１の実施例では、状態情報の視覚表現を中央コンピュータ５から携帯表示装置６にビデオストリームの形態で送信することが考えられる。このため、携帯表示装置６により視覚表現の方式が影響を受けたり変更されたりするおそれはないと考えられる。
【００５７】
別の実施例では、携帯表示装置６に選択ボタンを設けるかあるいは表示部７をタッチパネルディスプレイにして、例えばサブメニューを選択できるようにし、それにより製造機械２についての様々な方式の視覚表現を中央コンピュータ５で算出かつ携帯表示装置６で選択できるようにすることも考えられる。
【００５８】
そうした方法の場合には、例えば市販のスマートホンまたはタブレットを携帯表示装置６として使用してもよい。特に、携帯表示装置６では操作コマンドを製造機械２に出力できないようにし、その代わりに、携帯表示装置６を純粋に状態データの可視化のために使用し、製造機械２への操作コマンドの入力は入力装置４で行ってもよい。
【００５９】
製造機械２に関する状態情報の算出とグラフィック処理を携帯表示装置６で直接行わずに、データの算出を中央コンピュータ５で行うことで、携帯表示装置６の電池の持続時間を延ばすことができる。
【００６０】
別の変形例では、制御ボタンあるいは非常停止スイッチも有する専用の表示兼入力装置で携帯表示装置６を構成することも考えられる。そうした入力装置は例えばＫＥＢＡ社の製品ＫｅＴｏｐでもよい。そうした携帯表示装置６により、製造機械２をその操作者が操作でき、同時に、製造機械２の視覚表現のデータを操作者に示すことができる。携帯表示装置６で製造機械２を操作するためには、近接検出手段１２，１３を介して製造機械２に操作コマンドを直接送信してもよい。それにより、携帯表示装置６が実際に製造機械２の近くにある間だけ、その製造機械２がその携帯表示装置６から操作コマンドを受信するように実現することができる。
【００６１】
製造設備１の稼働は次のように進行させることができる。製造機械２に関する状態情報が中央コンピュータ５に送信され、必要に応じてそこで保存される。また、どの携帯表示装置６が製造設備１内で無線局９に接続されているかが中央コンピュータ５により監視される。携帯表示装置６が無線局９のうちの１つに最初に接続されるときには、携帯表示装置６は認証され、表示部の大きさや解像度といった携帯表示装置６に関するデータが必要に応じて中央コンピュータ５に送信される。
【００６２】
ある携帯表示装置６が製造機械２のうちの１台から規定の距離に移動してその製造機械２の有効範囲内にあるときには、このことが中央コンピュータ５に通知される。中央コンピュータ５は、続いてその製造機械２についての状態情報の保存に加えてグラフィック表現の算出も開始する。
【００６３】
続いて、そのグラフィック表現はその製造機械２に割り当てられている携帯表示装置６にストリームで送信される。ストリームの送信は携帯表示装置６がその製造機械２の規定領域内にある限り行うことができる。
【００６４】
本実施例では想定される変形例を示しているが、本発明は記載された特定の変形例には限定されず、個々の変形例同士の様々な組合せが可能であり、具体的な発明を通じた技術的に取り扱うための教示に基づき当業者の能力の範囲内でこうした変形が可能であることに留意されたい。
【００６５】
本発明の保護範囲は特許請求の範囲で定められている。しかしながら、特許請求の範囲を解釈するためには本明細書および図面が考慮され得る。図示され説明された様々な実施例からの個々の特徴または特徴の組合せは、それ自体が個別に発明としての解決手段となり得る。そうした個別の解決手段の基礎となる課題は本明細書から把握することができる。
【００６６】
具体的な説明におけるすべての数値範囲の表示は、その任意かつすべての部分領域を含むものと理解すべきである。例えば、１〜１０という表示は、下限の１から上限の１０までのすべての部分領域を、すなわち、例えば１〜１．７や３．２〜８．１、５．５〜１０といった下限が１以上でかつ上限が１０以下のすべての部分領域を含むものと理解すべきである。
【００６７】
形式上のこととして、最後に、構成をよりよく理解できるように、一部の部材は寸法通りに表示されておらず、かつ／あるいは拡大および／または縮小して表示されていることに留意されたい。
【符号の説明】
【００６８】
１    製造設備
２    製造機械
３    機能制御部
４    入力装置
５    中央コンピュータ
６    携帯表示装置
７    表示部
８    ネットワーク
９    無線局
１０    受信部
１１    割当て部
１２    製造機械の近接検出手段
１３    表示装置の近接検出手段
【図１】
2020522074.tif 000003
【手続補正書】
【提出日】平成31年3月29日(2019.3.29)
【手続補正１】
【補正対象書類名】明細書
【補正対象項目名】０００２
【補正方法】変更
【補正の内容】
【０００２】
ドイツ特許出願公開第１０２０１５０１３１４７号明細書には、機械の操作を補助するシステムが記載されている。このシステムは、少なくとも１人のユーザが持つ少なくとも１つの携帯端末上に表示可能な、機械のデータを入力かつ／または出力するための少なくとも１つのマンマシンインタフェースを有する。そのインタフェースは、好ましくは、各携帯端末の画面に表示可能なグラフィカルユーザインタフェースと、各携帯端末上でまたは各携帯端末と協働して実行可能な制御部とを有する。
米国特許出願公開第２０１３／０２４５４２号明細書には、機械を操作する同様のシステムが記載されている。
複数の製造機械が配置された製造設備が従来技術で知られている。各製造機械は、その製造機械を制御するための機能制御部を有し、入力端末と表示装置も有する。各製造機械に配置されたコンピュータによりその製造機械の機能状態を表す視覚的な表示が算出され、その製造機械の表示装置に表示される。
【手続補正２】
【補正対象書類名】特許請求の範囲
【補正対象項目名】全文
【補正方法】変更
【補正の内容】
【特許請求の範囲】
【請求項１】
製造設備（１）を稼働させるための方法であって、前記製造設備（１）は、
それぞれが機能制御部（３）を有する少なくとも２台の製造機械（２）と、
データ送信をするために前記機能制御部（３）に連結されている少なくとも１台の中央コンピュータ（５）と、
前記製造設備（１）内で無線ネットワークを提供するための少なくとも１つの無線局（９）であって、データ送信をするために前記少なくとも１台の中央コンピュータ（５）に連結されている無線局（９）と、
前記無線ネットワークからデータを受信してグラフィック表示するための受信部（１０）および表示部（７）を有する少なくとも１つの携帯表示装置（６）と、を有し、
前記製造機械（２）の前記機能制御部（３）により前記製造機械（２）に関する状態情報が前記中央コンピュータ（５）に送信され、
前記製造機械（２）のうちの１台への携帯表示装置（６）の近接が検出されることで、当該携帯表示装置（６）が少なくとも一時的に前記製造機械（２）のうちの１台に割り当てられ、
前記製造機械（２）に関する前記状態情報に基づき、少なくとも携帯表示装置（６）が割り当てられている製造機械（２）についての前記状態情報のグラフィック表現を前記中央コンピュータ（５）が算出し、
前記状態情報の前記グラフィック表現のデータが、前記製造機械（２）に割り当てられている前記携帯表示装置（６）に前記無線ネットワークを介して送信され、製造機械の操作者が前記グラフィック表現を読み取れるように当該携帯表示装置（６）の前記表示部（７）に表示され、
前記製造機械（２）のうちの１台への携帯表示装置（６）の割当てに際し、当該携帯表示装置（６）に関する情報として前記表示部（７）の大きさおよび解像度ならびに非常停止ボタンおよび／または動作許可ボタンといった操作部の有無が照会されて当該情報が前記中央コンピュータ（５）に送信され、前記中央コンピュータ（５）が当該情報に基づき当該携帯表示装置（６）用に調整されたグラフィック表現を出力する、
ことを特徴とする方法。
【請求項２】
前記製造機械（２）のうちの１台への前記携帯表示装置（６）の前記近接は近接センサまたは射程が限定されたデータ送信手段により検出され、前記製造機械（２）は適当な近接検出手段（１２）を有し、前記携帯表示装置（６）は適当な近接検出手段（１３）を有することを特徴とする、請求項１に記載の方法。
【請求項３】
前記製造機械（２）の前記近接検出手段（１２）は近距離無線通信（ＮＦＣ）の送信機で構成されており、前記携帯表示装置（６）で受信された信号の強度を求めることで前記携帯表示装置（６）と前記近接検出手段（１２）との距離が求められることを特徴とする、請求項２に記載の方法。
【請求項４】
前記製造機械（２）の前記近接検出手段（１２）はブルートゥース（登録商標）低エネルギー（ＢＬＥ）といったブルートゥースのビーコンで構成されており、前記携帯表示装置（６）で受信された信号の強度を求めることで前記携帯表示装置（６）と前記近接検出手段（１２）との距離が求められることを特徴とする、請求項２に記載の方法。
【請求項５】
前記製造機械（２）のそれぞれには近距離無線通信（ＮＦＣ）の送信機またはブルートゥースのビーコンで構成された近接検出手段（１２）が配置されており、前記携帯表示装置（６）への最も強い信号が検出された製造機械（２）に前記携帯表示装置（６）が割り当てられることを特徴とする、請求項３または４に記載の方法。
【請求項６】
前記製造機械（２）に割り当てられた入力装置（４）を介して前記操作者により前記機能制御部（３）に操作コマンドが入力され、当該操作コマンドが入力された結果がリアルタイムで前記携帯表示装置（６）に表示されることを特徴とする、請求項１〜５のいずれか一項に記載の方法。
【請求項７】
前記操作者が前記携帯表示装置（６）にログインするか認証されており、前記製造機械（２）のうちの１台への携帯表示装置（６）の割当てに際し、前記操作者に関する情報が照会されて前記中央コンピュータ（５）に送信され、前記中央コンピュータ（５）が前記操作者の認証結果に基づき当該携帯表示装置（６）用に調整されたグラフィック表現を出力することを特徴とする、請求項１〜６のいずれか一項に記載の方法。
【請求項８】
前記携帯表示装置（６）に所定の操作部がある場合には、前記製造機械（２）の前記機能制御部（３）への制御情報の送信にも当該操作部が使用されることを特徴とする、請求項２〜５のいずれか一項に記載の方法。
【請求項９】
前記射程が限定されたデータ送信手段により前記携帯表示装置（６）から前記製造機械（２）に前記制御情報が直接送信されることを特徴とする、請求項８に記載の方法。
【請求項１０】
前記少なくとも１台の中央コンピュータ（５）にて、前記状態情報を表示するために現時点で携帯表示装置（６）が割り当てられている製造機械（２）のみについての前記状態情報の前記グラフィック表現が算出されることを特徴とする、請求項１〜９のいずれか一項に記載の方法。
【請求項１１】
前記携帯表示装置（６）の前記表示部（７）はサブメニューを開いたり前記グラフィック表現を変更したりすることができる複数の入力ボタンが表示されるタッチパネルディスプレイであり、当該入力ボタンのうちの１つが操作されると、前記無線ネットワークを介して前記携帯表示装置（６）から前記中央コンピュータ（５）にコマンドが送信され前記製造機械（２）に関する前記状態情報の前記グラフィック表現が調整されることを特徴とする、請求項１〜１０のいずれか一項に記載の方法。
【請求項１２】
前記中央コンピュータ（５）の処理能力は前記製造機械（２）の前記状態情報の前記グラフィック表現を算出するために優先して使用され、処理能力が余った場合には前記中央コンピュータ（５）は他の計算処理にも使用されることを特徴とする、請求項１〜１１のいずれか一項に記載の方法。
【請求項１３】
前記製造機械（２）に関する前記状態情報が一定時間ごとに前記中央コンピュータ（５）に送信されることを特徴とする、請求項１〜１２のいずれか一項に記載の方法。
【請求項１４】
製造設備（１）であって、
それぞれが機能制御部（３）を有する少なくとも２台の製造機械（２）と、
少なくとも一方向のデータ送信をするために前記機能制御部（３）に連結されている少なくとも１台の中央コンピュータ（５）と、
前記製造設備（１）内で無線ネットワークを提供するための少なくとも１つの無線局（９）であって、少なくとも一方向のデータ送信をするために前記少なくとも１台の中央コンピュータ（５）に連結されている無線局（９）と、
前記無線ネットワークからデータを受信するための受信部（１０）を有し受信データをグラフィック表示する少なくとも１つの携帯表示装置（６）と、を有し、
前記携帯表示装置（６）および／または前記製造機械（２）は当該携帯表示装置（６）を所定の製造機械（２）に割当て可能な割当て部（１１）を有し、
前記製造機械（２）のうちの１台への携帯表示装置（６）の割当てに際し、当該携帯表示装置（６）に関する情報として表示部（７）の大きさおよび解像度ならびに非常停止ボタンおよび／または動作許可ボタンといった操作部の有無を照会して当該情報を前記中央コンピュータ（５）に送信でき、前記中央コンピュータ（５）が当該情報に基づき当該携帯表示装置（６）用に調整されたグラフィック表現を出力できるように構成されている、
ことを特徴とする製造設備（１）。
【国際調査報告】
2020522074.tif 000004
2020522074.tif 000005
2020522074.tif 000006
2020522074.tif 000007
2020522074.tif 000008